(57)【要約】【課題】  原画像上の画像特性が異なる複数の領域のそれぞれに対して個別に秘匿処理を指定する秘匿情報を組み、該画像を出力するときには、該秘匿情報に基づいて前記複数の領域を個別に秘匿処理する。【解決手段】  入力画像データを記憶する記憶手段７；前記入力画像データ又はそれを画像形成用に変換した画像データが表す画像に含まれる複数のドットパターンを検出し、該複数のドットパターンの配列によって表されるコードデータを発生する秘匿情報抽出手段１７；前記画像を表す画像データに基づいて前記画像上の文字画像領域および文字以外を表現する非文字領域を検索する領域抽出手段６；および、検索により検出した文字画像領域および非文字領域の画像データを、前記コードデータの内容に応じて画像毀損処理する秘匿処理手段４；を備える画像処理装置。【選択図】  図６
2008154106.tif 000002
【特許請求の範囲】
【請求項１】
秘匿情報組み込み画像を表す画像データにもとづいて、該画像に含まれる複数のドットパターンを検出し、該複数のドットパターンの配列によって表されたコードデータを発生し、
前記画像データに基づいて前記画像上の文字画像領域および文字以外を表現する非文字領域を検索し、
検索により検出した文字画像領域および非文字領域の画像データを、前記コードデータの内容に応じて画像毀損処理する、秘匿情報組み込み画像の秘匿処理方法。
【請求項２】
前記コードデータは、文字画像領域，非文字領域および両者を択一指定する領域指定データを含み、該領域指定データが指定する領域の画像データを画像毀損処理する、請求項１に記載の秘匿処理方法。
【請求項３】
前記コードデータは、機密レベルデータを含み、該機密レベルデータに基づいて文字画像領域又は非文字領域である各領域に対して画像毀損処理の実行／不実行を定める、請求項１に記載の、秘匿情報組み込み画像の秘匿処理方法。
【請求項４】
前記機密レベルデータと画像ユーザに宛てられた判読許可レベルとの組合せに対応して、画像毀損処理の実行／不実行を定める、請求項３に記載の、秘匿情報組み込み画像の秘匿処理方法。
【請求項５】
前記毀損処理は、塗りつぶし又はマスクを含む画像変換である、請求項１乃至４のいずれか１つに記載の秘匿処理方法。
【請求項６】
前記毀損処理は、画像の特性を損なう、画像データの圧縮および伸張を含む、請求項１乃至４のいずれか１つに記載の秘匿処理方法。
【請求項７】
前記コードデータは、機密レベルデータを含み、該機密レベルデータが高い機密を表すときに高い圧縮率の前記圧縮を行う、請求項６に記載の秘匿処理方法。
【請求項８】
機密レベルデータから画像ユーザに宛てられた判読許可レベルを差し引いた差値が大きいと高い圧縮率の前記圧縮を行う、請求項７に記載の秘匿処理方法。
【請求項９】
前記毀損処理は、画像の特性を損なうフィルタ処理を含む、請求項１乃至４のいずれか１つ，請求項７又は請求項８に記載の秘匿処理方法。
【請求項１０】
前記毀損処理は、色変換処理を含む、請求項１乃至４のいずれか１つ又は請求項７乃至９のいずれか１つに記載の秘匿処理方法。
【請求項１１】
前記毀損処理は、解像度の低減を含む、請求項１乃至４のいずれか１つ又は請求項７乃至１０のいずれか１つに記載の秘匿処理方法。
【請求項１２】
前記毀損処理は、粗密度の諧調処理を含む、請求項１乃至４のいずれか１つ又は請求項７乃至１１のいずれか１つに記載の秘匿処理方法。
【請求項１３】
秘匿情報組み込み対象画像を現す画像データにもとづいて、該対象画像上の文字画像領域および文字以外を表現する非文字領域を検索し、
秘匿情報を表すコードデータを表現するための複数のドットパターン配列を表す画像データを生成し、
前記対象画像上の、検索により検出した文字画像領域および非文字領域の外すなわち地肌領域の画像データを、前記複数のドットパターン配列を表す画像データにもとづいて、該複数のドットパターン配列を表す画像データに変換することにより、請求項１乃至１２のいずれか１つに記載の秘匿情報組み込み画像を表す画像データを生成する秘匿処理方法。
【請求項１４】
入力画像データを記憶する記憶手段；
前記入力画像データ又はそれを画像形成用に変換した画像データが表す画像に含まれる複数のドットパターンを検出し、該複数のドットパターンの配列によって表されるコードデータを発生する秘匿情報抽出手段；
前記画像を表す画像データに基づいて前記画像上の文字画像領域および文字以外を表現する非文字領域を検索する領域抽出手段；および、
検索により検出した文字画像領域および非文字領域の画像データを、前記コードデータの内容に応じて画像毀損処理する秘匿処理手段；
を備える画像処理装置。
【請求項１５】
前記コードデータは、文字画像領域，非文字領域および両者を択一指定する領域指定データを含み；前記秘匿処理手段は、該領域指定データが指定する領域の画像データを画像毀損処理する；請求項１４に記載の画像処理装置。
【請求項１６】
前記コードデータは、機密レベルデータを含み；前記秘匿処理手段は、該機密レベルデータに基づいて文字画像領域又は非文字領域である各領域に対して画像毀損処理の実行／不実行を決定する；請求項１４に記載の画像処理装置。
【請求項１７】
前記秘匿処理手段は、前記機密レベルデータと画像ユーザに宛てられた判読許可レベルとの組合せに対応して、画像毀損処理の実行／不実行を決定する；請求項１６に記載の画像処理装置。
【請求項１８】
前記毀損処理は、塗りつぶし又はマスクを含む画像変換である；請求項１４乃至１７のいずれか１つに記載の画像処理装置。
【請求項１９】
前記毀損処理は、画像の特性を損なう、画像データの圧縮および伸張を含む；請求項１４乃至１７のいずれか１つに記載の画像処理装置。
【請求項２０】
前記コードデータは、機密レベルデータを含み；前記秘匿処理手段は、該機密レベルデータが高い機密を表すときに高い圧縮率の前記圧縮を行う；請求項１９に記載の画像処理装置。
【請求項２１】
画像処理装置はさらに、ユーザ特定情報およびユーザ宛の判読許可レベルを登録する手段；および、画像ユーザが入力したユーザ特定情報に対応する判読許可レベルを読み出す手段；を供え、前記秘匿処理手段は、前記機密レベルデータから前記判読許可レベルを差し引いた差値が大きいと高い圧縮率の前記圧縮を行う；請求項２０に記載の画像処理装置。
【請求項２２】
前記毀損処理は、画像の特性を損なうフィルタ処理を含む；請求項１４乃至１８のいずれか１つ，請求項２０又は請求項２１に記載の画像処理装置。
【請求項２３】
前記毀損処理は、色変換処理を含む；請求項１４乃至１７のいずれか１つ又は請求項２０乃至２２のいずれか１つに記載の画像処理装置。
【請求項２４】
前記毀損処理は、解像度の低減を含む、請求項１４乃至１７のいずれか１つ又は請求項２０乃至２３のいずれか１つに記載の画像処理装置。
【請求項２５】
前記毀損処理は、粗密度の諧調処理を含む；請求項１４乃至１７のいずれか１つ又は請求項２０乃至２４のいずれか１つに記載の画像処理装置。
【請求項２６】
画像を読み取り該画像を表す電子化した画像データを発生する画像読み取り手段；および、該画像データを前記入力画像データとして前記記憶手段に書き込む手段；をさらに備える、請求項１４乃至２５のいずれか１つに記載の画像処理装置。
【請求項２７】
外部から送られて来る書画情報を画像データに変換して前記入力画像データとして前記記憶手段に書き込む手段；をさらに備える、請求項１４乃至２６のいずれか１つに記載の画像処理装置。
【請求項２８】
請求項１４乃至２７のいずれか１つに記載の画像処理装置；および、
前記秘匿処理手段が処理した画像データが表す画像を用紙上に形成する作像手段；を備える画像形成装置。
【請求項２９】
前記入力画像データ又はそれを画像形成用に変換した画像データにもとづいて、該画像データが表す画像上の文字画像領域および文字以外を表現する非文字領域を検索する手段；
秘匿情報を表すコードデータを表現するための複数のドットパターン配列を表す画像データを生成する手段；および、
前記画像上の、検索により検出した文字画像領域および非文字領域の外すなわち地肌領域の画像データを、前記複数のドットパターン配列を表す画像データにもとづいて、該複数のドットパターン配列を表す画像データに変換する秘匿情報組み込み手段；
をさらに備える請求項１４乃至２７のいずれか１つに記載の画像処理装置。
【請求項３０】
請求項２９に記載の画像処理装置；および、
前記秘匿情報組み込み手段が変換した画像データが表す画像を用紙上に形成する作像手段；を備える画像形成装置。
【発明の詳細な説明】
【技術分野】
【０００１】
本発明は、画像情報の秘匿処理ならびにそれを実施する画像処理装置および画像形成装置に関し、たとえば、複写機，ファクシミリ，プリンタ，スキャナおよびコンピュータ上画像処理に用いることができる。
【背景技術】
【０００２】
【特許文献１】特開２００４−２７４０９２号公報
【特許文献２】特開２００５−  ７９６２８号公報
【特許文献３】特開２００６−  ９４３４６号公報
【特許文献４】特開２００６−２８７９０２号公報
【特許文献５】特願２００６−１５３８４３号
【特許文献６】特許第３２７８４７１号公報。
【０００３】
特許文献１は、複写する原稿のパターンがあらかじめ記憶されたパターンと一致しているかどうかをリアルタイムで検知し、複写原稿のパターンが検知された場合には判読不可能状態になるように全面塗りつぶして出力するというものである。これにより、特定のパターンを付加した原稿であれば、完全に複写禁止することが可能となった。
【０００４】
しかし、原稿全面を判読不可能状態にすることしかできず、そのため、例えば使用者によって塗りつぶすかどうかを選択したり、文字のみ見せないあるいは図のみ見せないなどの選択など、柔軟なセキュリティの設定を行うことが不可能であった。
【０００５】
特許文献２に記載の画像処理装置は、オリジナル原稿の作成者が原稿の複写禁止領域をあらかじめ指定し、その領域のみにタイル状のパターンを合成させ、オリジナル原稿を出力する。そのオリジナル原稿を複写した場合、そのタイル状のパターンが貼り付けてある部分のみ判読不可能状態になって出力される。タイル状のパターンを地紋禁止領域に合成させることにより、画像の一部のみの塗りつぶしが可能になる。
【０００６】
しかし、文字が少ない場合は良いが、複写禁止領域が様々な位置にある場合は複写禁止領域の設定が大変わずらわしいものになる。また、使用者ごとに複写禁止領域を変化させるなどの処理はできない。
【０００７】
特許文献３に記載の画像形成装置は、書籍や記録紙に埋め込んだＩＣタグの、コピー禁止箇所や禁止画像を読み取って、コピー禁止箇所をマスクしている。
【０００８】
この技術ではＩＣタグを埋め込んである紙を使用しなければならないし、またコピー禁止領域も小さい領域しか指定できない。
【０００９】
特許文献４に記載の画像処理装置は、画像に埋め込む認識不可情報をたとえば８ビットデータ（又はコード）として、複数ドットでなる２種のドットパターンの一方に「０」を、他方に「１」を割り当て、複数たとえば８個のドットパターンを１コードに割り当てて、画像の地肌領域に地紋として付加する。画像に埋め込む認識不可情報の情報量が多い。
【００１０】
特許文献５に記載の画像処理装置は、複数のパターンを検知できるようにすることで、使用者の判読許可レベルと原稿上のパターンにより、判読可能な使用者と判読不可能な使用者とを区別することができる。そして、１枚の原稿上に複数の異なるパターンを付加することにより、使用者に応じた複写禁止領域が設定できる。
【００１１】
しかし、領域ごとにパターンが異なるので、領域が狭い箇所ではパターンの読み取り精度が悪化し、検知漏れの確率が高くなるのではないかと考えられる。
【００１２】
特許文献６は、画像上の文字領域と、文字画像ではない有意画像である非文字領域とを検出する領域分割方法を開示している。
【発明の開示】
【発明が解決しようとする課題】
【００１３】
本発明は、原画像上の画像特性が異なる複数の領域のそれぞれに対して個別に秘匿処理を指定する認識不可情報（秘匿情報）が組み込まれた秘匿情報付画像を表す画像データを、該秘匿情報に基づいて前記複数の領域を個別に秘匿処理した画像を表す画像データに変換することを第１の目的とする。
【００１４】
本発明は、原画像上の画像特性が異なる複数の領域のそれぞれに対して個別に秘匿処理を指定する認識不可情報（秘匿情報）を、該原画像を表す画像データに組み込むことにより、秘匿情報付画像を表す画像データを生成し、該秘匿情報付画像を出力（複写，印刷又はディスプレイ表示）するときには、秘匿情報を抽出しそれに基づいて画像上の画像特性が異なる複数の領域のそれぞれに対して個別に秘匿処理することを第２の目的とする。
【００１５】
画像管理者が、前記複数の領域のそれぞれに対してどのような秘匿処理をするかを比較的に自由に選択できるようにすること、すなわち、セキュリティレベルと利便性のトレードオフを画管理者が選択できるようにすること、を第３の目的とする。
【００１６】
画像管理者が、画像使用者に対して１画像上の複数の領域のそれぞれに対してどの程度の判読可能性を認めるかを設定できるようにすることを第４の目的とする。たとえば、原稿の機密レベルあるいは機密レベルと使用者の判読許可レベルとの差によって、出力データの解像度を下げたり、圧縮率を高くしたり、階調性を劣化させたり、モノクロ出力したり、大きく平滑化／先鋭化したりすることで、画像上の領域および画像使用者に対して機密性を調整することを目的とする。
【００１７】
機密性だけでなく、秘匿情報付画像をコピー又は印刷をする場合の、記録剤の削減，データ処理量の削減あるいはコピー又は印刷スピードの高速化を第５の目的とする。また、複写機，プリンタ，ファクシミリあるいはコンピュータへの、秘匿処理手段の比較的に簡易な組み込みを第６の目的とする。
【課題を解決するための手段】
【００１８】
（１）秘匿情報組み込み画像を表す画像データにもとづいて、該画像に含まれる複数のドットパターンを検出し、該複数のドットパターンの配列によって表されたコードデータを発生し、
前記画像データに基づいて前記画像上の文字画像領域および文字以外を表現する非文字領域を検索し、
検索により検出した文字画像領域および非文字領域の画像データを、前記コードデータの内容に応じて画像毀損処理する、秘匿情報組み込み画像の秘匿処理方法（図５の４０〜４２，図６の（ｂ））。
【００１９】
なお、理解を容易にするために括弧内には、図面に示す対応又は相当要素の符号もしくは対応事項を、例示として参考までに附記した。以下も同様である。
【００２０】
（２）前記コードデータは、文字画像領域，非文字領域および両者を択一指定する領域指定データ（対象領域）を含み、該領域指定データが指定する領域の画像データを画像毀損処理する、上記（１）に記載の秘匿処理方法（図９の（ｂ），図６の（ｃ））。
【００２１】
（３）前記コードデータは、機密レベルデータ（Ｐｓ）を含み、該機密レベルデータに基づいて文字画像領域又は非文字領域である各領域に対して画像毀損処理の実行／不実行を定める、上記（１）に記載の、秘匿情報組み込み画像の秘匿処理方法（図１０，図１１，図１３）。
【００２２】
（４）前記機密レベルデータ（Ｐｓ）と画像ユーザに宛てられた判読許可レベル（Ｕａ）との組合せに対応して、画像毀損処理の実行／不実行を定める、上記（３）に記載の、秘匿情報組み込み画像の秘匿処理方法。
【００２３】
（５）前記毀損処理は、塗りつぶし又はマスクを含む画像変換である、上記（１）乃至（４）のいずれか１つに記載の秘匿処理方法（図９の（ｂ），図１０の（ｂ），図１２の（ｂ），図１３の（ｂ））。
【００２４】
（６）前記毀損処理は、画像の特性を損なう、画像データの圧縮および伸張を含む、上記（１）乃至（４）のいずれか１つに記載の秘匿処理方法（図１３，図１４）。
【００２５】
（７）前記コードデータは、機密レベルデータ（Ｐｓ）を含み、該機密レベルデータが高い機密を表すときに高い圧縮率の前記圧縮を行う、上記（６）に記載の秘匿処理方法（図１３，図１４）。
【００２６】
（８）機密レベルデータ（Ｐｓ）から画像ユーザに宛てられた判読許可レベル（Ｕａ）を差し引いた差値（Ｐｓ−Ｕａ）が大きいと高い圧縮率の前記圧縮を行う、上記（１）乃至（４）に記載の秘匿処理方法（図１４）。
【００２７】
（９）前記毀損処理は、画像の特性を損なうフィルタ処理を含む、上記（１）乃至（４）のいずれか１つ，上記（７）又は（８）に記載の秘匿処理方法（図１３，図１４）。
【００２８】
（１０）前記毀損処理は、色変換処理を含む、上記（１）乃至（４）のいずれか１つ又は上記（７）乃至（９）のいずれか１つに記載の秘匿処理方法（図１３，図１４）。
【００２９】
（１１）前記毀損処理は、解像度（ｄｐｉ）の低減を含む、上記（１）乃至（４）のいずれか１つ又は上記（７）乃至（１０）のいずれか１つに記載の秘匿処理方法（図１３，図１４）。
【００３０】
（１２）前記毀損処理は、粗密度の諧調処理を含む、上記（１）乃至（４）のいずれか１つ又は上記（７）乃至（１１）のいずれか１つに記載の秘匿処理方法（図１３，図１４）。
【００３１】
（１３）秘匿情報組み込み対象画像を現す画像データにもとづいて、該対象画像上の文字画像領域および文字以外を表現する非文字領域を検索し、
秘匿情報を表すコードデータを表現するための複数のドットパターン配列を表す画像データを生成し、
前記対象画像上の、検索により検出した文字画像領域および非文字領域の外すなわち地肌領域の画像データを、前記複数のドットパターン配列を表す画像データにもとづいて、該複数のドットパターン配列を表す画像データに変換することにより、上記（１）乃至（１２）のいずれか１つに記載の秘匿情報組み込み画像を表す画像データを生成する秘匿処理方法（図５の３７，３８，図６の（ａ））。
【００３２】
（１４）入力画像データを記憶する記憶手段(7)；
前記入力画像データ又はそれを画像形成用に変換した画像データが表す画像に含まれる複数のドットパターンを検出し、該複数のドットパターンの配列によって表されるコードデータを発生する秘匿情報抽出手段(17)；
前記画像を表す画像データに基づいて前記画像上の文字画像領域および文字以外を表現する非文字領域を検索する領域抽出手段(6)；および、
検索により検出した文字画像領域および非文字領域の画像データを、前記コードデータの内容に応じて画像毀損処理する秘匿処理手段(4)；
を備える画像処理装置。
【００３３】
（１５）前記コードデータは、文字画像領域，非文字領域および両者を択一指定する領域指定データ（対象領域）を含み；前記秘匿処理手段(4,3)は、該領域指定データが指定する領域の画像データを画像毀損処理する；上記（１４）に記載の画像処理装置（図９の（ｂ），図６の（ｃ））。
【００３４】
（１６）前記コードデータは、機密レベルデータ（Ｐｓ）を含み；前記秘匿処理手段(4,3)は、該機密レベルデータに基づいて文字画像領域又は非文字領域である各領域に対して画像毀損処理の実行／不実行を決定する；上記（１４）に記載の画像処理装置（図１０，図１１，図１３）。
【００３５】
（１７）前記秘匿処理手段(4,3)は、前記機密レベルデータ（Ｐｓ）と画像ユーザに宛てられた判読許可レベル（Ｕａ）との組合せに対応して、画像毀損処理の実行／不実行を決定する；上記（１６）に記載の画像処理装置。
【００３６】
（１８）前記毀損処理は、塗りつぶし又はマスクを含む画像変換である；上記（１４）乃至（１７）のいずれか１つに記載の画像処理装置（図９の（ｂ），図１０の（ｂ），図１２の（ｂ），図１３の（ｃ））。
【００３７】
（１９）前記毀損処理は、画像の特性を損なう、画像データの圧縮および伸張を含む；上記（１４）乃至（１７）のいずれか１つに記載の画像処理装置（図１３，図１４）。
【００３８】
（２０）前記コードデータは、機密レベルデータ（Ｐｓ）を含み；前記秘匿処理手段(4,3)は、該機密レベルデータが高い機密を表すときに高い圧縮率の前記圧縮を行う；上記（１９）に記載の画像処理装置（図１３，図１４）。
【００３９】
（２１）画像処理装置はさらに、ユーザ特定情報およびユーザ宛の判読許可レベルを登録する手段(10,6,18)；および、画像ユーザが入力したユーザ特定情報に対応する判読許可レベル（Ｕａ）を読み出す手段(10,6,18)；を供え、前記前記秘匿処理手段(4,3)は、前記機密レベルデータ（Ｐｓ）から前記判読許可レベル（Ｕａ）を差し引いた差値（Ｐｓ−Ｕａ）が大きいと高い圧縮率の前記圧縮を行う；上記（２０）に記載の画像処理装置（図１４）。
【００４０】
（２２）前記毀損処理は、画像の特性を損なうフィルタ処理を含む；上記（１４）乃至（１８）のいずれか１つ，上記（２０）又は（２１）に記載の画像処理装置（図１３，図１４）。
【００４１】
（２３）前記毀損処理は、色変換処理を含む；上記（１４）乃至（１７）のいずれか１つ又は上記（２０）乃至（２２）のいずれか１つに記載の画像処理装置（図１３，図１４）。
【００４２】
（２４）前記毀損処理は、解像度（ｄｐｉ）の低減を含む、上記（１４）乃至（１７）のいずれか１つ又は上記（２０）乃至（２３）のいずれか１つに記載の画像処理装置（図１３，図１４）。
【００４３】
（２５）前記毀損処理は、粗密度の諧調処理を含む；上記（１４）乃至（１７）のいずれか１つ又は上記（２０）乃至（２４）のいずれか１つに記載の画像処理装置（図１３，図１４）。
【００４４】
（２６）画像を読み取り該画像を表す電子化した画像データを発生する画像読み取り手段(1)；および、該画像データを前記入力画像データとして前記記憶手段(7)に書き込む手段(3,6)；をさらに備える、上記（１４）乃至（２５）のいずれか１つに記載の画像処理装置。
【００４５】
（２７）外部(15,16)から送られて来る書画情報を画像データに変換して前記入力画像データとして前記記憶手段(7)に書き込む手段(11,12,6)；をさらに備える、上記（１４）乃至（２６）のいずれか１つに記載の画像処理装置。
【００４６】
（２８）上記（１４）乃至（２７）のいずれか１つに記載の画像処理装置；および、
前記秘匿処理手段(4)が処理した画像データが表す画像を用紙上に形成する作像手段(9)；を備える画像形成装置。
【００４７】
（２９）前記入力画像データ又はそれを画像形成用に変換した画像データにもとづいて、該画像データが表す画像上の文字画像領域および文字以外を表現する非文字領域を検索する手段(6)；
秘匿情報を表すコードデータを表現するための複数のドットパターン配列を表す画像データを生成する手段(6)；および、
前記画像上の、検索により検出した文字画像領域および非文字領域の外すなわち地肌領域の画像データを、前記複数のドットパターン配列を表す画像データにもとづいて、該複数のドットパターン配列を表す画像データに変換する秘匿情報組み込み手段(4)；
をさらに備える請求項１４乃至２７のいずれか１つに記載の画像処理装置。
【００４８】
（３０）上記（２９）に記載の画像処理装置；および、
前記秘匿情報組み込み手段(4)が変換した画像データが表す画像を用紙上に形成する作像手段(9)；を備える画像形成装置。
【発明の効果】
【００４９】
上記（１）によれば、画像に組み込む秘匿情報を表す複数のドットパターンにより、領域ごとの画像毀損を制御することができる。複数のドットパターンで表すコードデータの情報量はドットパターンの数を多くすることによって多くすることができ、領域ごとの柔軟な秘匿処理の設定すなわち画像漏出に対するセキュリティの設定が可能である。また、書画に応じて秘匿情報を使い分ければ、書画ごとに使用者に見せたくない領域と秘匿処理態様を選択することが可能である。
【００５０】
上記（２）によれば、たとえば、原稿の文字部のみを判読不可能にすることで、文字は読めないが図や写真などは判読できるというセキュリティレベルの調整が可能になる。また、文字（のみの）原稿であっても、文字部のみを塗りつぶすことで、全面塗りつぶす場合に比べ、トナー量の削減にもなる。原稿の非文字部を判読不可能にすることで、写真や図などは読めないが、文字部のみ判読できるというセキュリティレベルの調整も可能になる。例えば、商標登録されているキャラクターの絵やロゴマークなどの乱用禁止やまだ市場に投入されていない製品の写真，図（デザイン）などを隠すことができる。
【００５１】
あらかじめ明細書や議事録などのフォーマット原稿を画像処理装置に登録し、複数のドットパターンにより表現する秘匿情報に応じて、登録した原稿の特定箇所のみを判読不可能にすることが可能になる。例えば、明細書の金額欄のみを隠したり、住民票の個人情報が記載されている箇所のみを隠したりすることが可能である。
【００５２】
上記（３）によれば、機密レベル（Ｐｓ）により画像管理者がセキュリティレベルを細かく設定することができる。
【００５３】
上記（４）によれば、秘匿情報にある機密レベル（Ｐｓ）と画像使用者の判読許可レベル（Ｕａ）とを比較し、判読許可レベル（Ｕａ）が文書の機密レベル（Ｐｓ）未満あれば、そのレベル差により毀損処理を定めることができる。画像管理者が、文書ごとに、また画像使用者ごとに、セキュリティレベルを細かく設定することができる。
【００５４】
すなわち、文書の機密レベル（Ｐｓ）と使用者の判読許可レベル（Ｕａ）とのレベル差Ｐｓ−Ｕａに応じて、出力データの判読不可能状態にする領域を決定できる。使用者の判読許可レベルが機密レベルをどれくらい下回っているかでその使用者に見せたくない領域を選択することができる。例えば、一般的な企業で考えれば、使用者の判読許可レベルに役職などを対応づけ、部長職は全面出力可であるが、課長職では一部出力不可、一般社員では全面出力不可などの制御を行うことが可能となる。
【００５５】
文書の機密レベルと使用者の判読許可レベルとのレベル差がある決められた値のときに、原稿の文字部を判読不可能にすることで、文字は読めないが図や写真などのみは判読できるというレベルの調整が可能になる。また、文字のみの文書でも全面を塗りつぶすのではなく、文字部のみを塗りつぶすことで、トナー量の削減になる。
【００５６】
文書の機密レベルと使用者の判読許可レベルとのレベル差がある決められた値のときに、原稿の非文字部を判読不可能にすることで、文字は読めないが図や写真などのみは判読できるというレベルの調整が可能になる。
【００５７】
あらかじめ明細書や議事録などのフォーマット原稿を画像処理装置に登録し、秘匿情報に対応付けた機密レベルと使用者の判読許可レベルの差により、登録した原稿の特定箇所のみを判読不可能にすることが可能になる。
【００５８】
例えば、契約書のレイアウト情報と判読不可能領域を設定しておき、その契約書を複写する場合、契約担当者の部署内の社員は、全ての情報を判読することができ、同じ会社であるが部署が異なる社員は、顧客情報以外の部分（契約内容など）を判読することができ、社外の人間は、契約内容などは企業秘密であるので、契約書全面を判読することができないなどの制御ができる。
【００５９】
上記（５）によれば、毀損処理が塗りつぶし又はマスクであるので、毀損処理領域の画像が視認不可となる。
【００６０】
上記（６）によれば、たとえば圧縮率が高い非可逆圧縮と伸張を用いると、画像が荒れてあるいはぼやけて細部の正確な把握ができなくなる。上記（５）のように判読不可能としていないので、セキュリティ的には弱いが、レイアウト解析などの新たな重い処理が無く、出力処理を少し切り替えるだけなので、容易に実装でき処理スピードが軽く時間がかからないというメリットがある。
【００６１】
上記（７）によれば、機密レベルが高い原稿ほど画像データの圧縮率を高く出力することで、文字は判読できてたとしても図や写真などの詳細を判読しにくくすることが可能となる。また、ジェネレーションコピー（複写したものをもう一度複写すること）ではかなり判読できなくなると思われる。すなわち、商標登録されているキャラクターの絵やロゴマークなどの乱用禁止などの効果が図れる。上記（５）のように判読不可能としていないので、セキュリティ的には弱いが、レイアウト解析などの新たな重い処理が無く、出力処理を少し切り替えるだけなので、容易に実装でき処理スピードが軽く時間がかからないというメリットがある。
【００６２】
上記（８）によれば、文書の機密レベル（Ｐｓ）と使用者の判読許可レベル（Ｕａ）とのレベル差Ｐｓ−Ｕａに応じた、画像の劣化度合いを設定できる。機密レベルと使用者の判読許可レベルとの差が大きい原稿ほど、言い換えれば使用者にとって機密レベルが相対的に高い原稿ほど画像データの圧縮率を高く出力することで、文字は判読できてたとしても図や写真などの詳細を判読しにくくすることが可能となる。また、ジェネレーションコピー（複写したものをもう一度複写すること）ではかなり判読できなくなると思われる。すなわち、商標登録されているキャラクターの絵やロゴマークなどの乱用禁止などの効果が図れる。上記（５）のように判読不可能としていないので、セキュリティ的には弱いが、レイアウト解析などの新たな重い処理が無く、出力処理を少し切り替えるだけなので、容易に実装でき処理スピードが軽く時間がかからないというメリットがある。
【００６３】
上記（９）によれば、機密レベルが高い原稿ほどフィルタ処理の鮮鋭度もしくは平滑度を強くすることで、判読しにくくすることが可能となる。例えば、平滑度の強いフィルタを使用すれば、文字部では鮮鋭性が弱くなり判読しづらくなり、非文字部は、細かな図などの詳細がわからなくなる。また、鮮鋭度の強いフィルタを使用すれば、文字部は鮮鋭性が向上し判読しやすくなるが、非文字部では階調性などがなくなり、絵柄の中のエッジ部のみが強調されるため全体の絵柄としては判読しにくくなる。そのため、どちらの場合でもジェネレーションコピー（複写したものをもう一度複写すること）ではかなり判読できなくなると思われる。それにより、商標登録されているキャラクターの絵やロゴマークなどの乱用禁止などの効果が図れる。
【００６４】
上記（１０）によれば、原稿の色情報を消失することが可能となる。例えば、まだ市場に投入される製品やデザインなどの色情報の漏洩を防ぐことができる。また、開示してもよい原稿でも、管理者の意図で自動的にモノクロ印刷し、記録材の削減、経費削減という効果も期待できる。出力処理を少し切り替えるだけなので、容易に実装でき処理スピードが軽く時間がかからないというメリットがある。
【００６５】
上記（１１）によれば、文字は判読できてたとしても図や写真などの詳細を判読しにくくすることが可能となる。また、ジェネレーションコピー（複写したものをもう一度複写すること）ではかなり判読できなくなると思われる。すなわち、商標登録されているキャラクターの絵やロゴマークなどの乱用禁止などの効果が図れる。
【００６６】
上記（１２）によれば、機密レベルが高い原稿ほど少ない階調数にしたり階調処理内容を切り替えて階調性を悪化したりことで、文字は判読できてたとしても図や写真などの詳細を判読しにくくすることが可能となる。また、ジェネレーションコピー（複写したものをもう一度複写すること）ではかなり判読できなくなると思われる。すなわち、商標登録されているキャラクターの絵やロゴマークなどの乱用禁止などの効果が図れる。上記（５）のように判読不可能としていないので、セキュリティ的には弱いが、レイアウト解析などの新たな重い処理が無く、出力処理を少し切り替えるだけなので、容易に実装でき処理スピードが軽く時間がかからないというメリットがある。
【００６７】
ここで上記（６）〜（１２）の効果を補足する。一般的に、機密レベルが大きくなるごとに、あるいは機密レベルと使用者の判読許可レベルとのレベル差が大きくなるごとに、解像度を落とし、階調数を下げ、圧縮率を高くし、平滑度や鮮鋭度を大幅に大きくし、モノクロ出力することで機密性は高まる。しかし、機密性ではなく、データの削減，記録材の削減などの観点から考えると、判読許可レベルもしくは機密レベルが大きいほど解像度を落とし、階調数を下げ、圧縮率を高くし、モノクロ出力にするというケースも十分考えられる。例えば、事業所外の社員・部署外の社員・部署内の社員により、判読許可レベルを異ならせる場合、機密文書でセキュリティを高くする場合には、部署外の社員・事業所外の社員になるほど、解像度を落とし、階調数を落とし、圧縮率を高め、平滑度や鮮鋭度を大幅に大きくし、モノクロ出力を行ったほうがよい。その一方で、記録材の低減による経費削減という観点では、出力原稿の内容をほとんど知らない部署外や事業所外の社員ほどくっきりはっきり出力し、出力する原稿の内容が既知の内容で、字さえ読めればよい程度である部署内の社員には、記録材の削減や印刷スピードなどのために、解像度を落としたり、階調数を落としたり、圧縮率を高めたり、モノクロ出力をしたいなどというケースも考えられる。機密性を最優先にしたいが、開示してもよい場合には記録材やデータを削減したいという場合を考えてみると、機密性を高めたいときが前者、そうでないとき（記録材やデータを削減したいとき）が後者とすると、文字のみの文書では、前者がカラーで低解像度で多値のディザ処理で平滑度を大きくし、後者がモノクロで高解像度で単純２値化処理で鮮鋭性を大きくするということが考えられる。また、絵柄部では、前者がモノクロで鮮鋭性を大きくするため高解像度でも低解像度でもよしとし、後者がカラーで低解像度で平滑度を大きくするということも想定される。上記（６）〜（１２）はこれらに対処可能にするものであって、セキュリティだけでなく、記録材の削除やデータの削除など多角的な効果が考えられる。
【００６８】
上記（１３）によれば、画像に上記秘匿情報を組み込むことができる。すなわち、上記（１）〜（１２）の秘匿処理対象である秘匿情報を組み込んだ画像、を表す画像データを生成することができる。
【発明を実施するための最良の形態】
【００６９】
本発明の好ましい実施態様では、原画像への秘匿情報の組み込み方法および組み込み後の画像の秘匿情報の解読方法としては、特許文献４の手法を利用する。画像読み取り手段より入力された画像データに秘匿情報が検知された場合、メモリに、入力画像データにあらかじめ定められた特性になる処理（スキャナ読み取り補正）を加えた画像データと、秘匿情報を保存する。メモリに保存した秘匿情報に応じて、メモリから読み出した入力画像データ又はそれを画像出力用に変換した画像データに毀損処理を加える。
【００７０】
原画像上、ならびに、秘匿情報組み込み後の画像上、の特性の異なる各画像領域の検索には、特許文献６の領域分割方法を利用する。この文献の内容を簡単に述べる。画像データを黒連結成分に外接した矩形を抽出し、抽出した矩形の高さのヒストグラムより、標準文字サイズを決定し、抽出した矩形のサイズと標準文字サイズとの大小関係より、文字の矩形とそれ以外の非文字の矩形とに分類する。文字の矩形では、文字間の距離や重なり具合などの相対的な位置関係を組み合わせることで、文字領域部が形成される。実際、入力原稿が図７の（ａ）の場合、細部領域検索結果は図７の（ｂ）となり、細部領域を統合した検索結果は図７の（ｃ）のようになる。図７の（ｄ）には、図７の（ｂ）に示す細部領域検索結果の一部を拡大して示す。このような画像領域の検索（領域分割）は、画像データ処理部やシステム制御部のどちらで行ってもよい。また、ＡＳＩＣ（Application Specific IC）やＦＰＧＡ（Field Programmable Gate Array）などのハードウエアでもＤＳＰ（Digital Signal Processor）やＣＰＵ(Center Processing Unit)などでのソフトウェアでの処理でも、それら二つを合わせて行ってもよい。これらの組み合わせは、画像処理装置の処理速度やコストに応じて決める。
【００７１】
本発明の他の目的および特徴は、図面を参照した以下の実施例の説明より明らかになろう。
【実施例１】
【００７２】
図１に、本発明を一態様で実施する第１実施例である複合機能複写機ＭＦ１の構成を示す。この複写機ＭＦ１は、デジタルカラー複写機をベースにＦＡＸ（ファクシミリ）機能，プリンタ機能，スキャナ機能やドキュメントボックス機能などを複合したＭＦ（複合機）である。複写機ＭＦ１の画像読み取り手段である読取り装置１は、ＣＣＤ光電変換素子からなるラインセンサとＡ／Ｄコンバータとそれら駆動回路を具備し、セットされた原稿をスキャンすることで得る原稿の濃淡情報から、ＲＧＢ各８ビットのデジタル画像データを生成し出力する。
【００７３】
第１画像データ処理装置２は、読取り装置１からのデジタル画像データに対し、予め定めた特性に統一する処理（画像読み取り歪の補正）を施して出力する。統一する特性は、画像データをＭＦ１内部に蓄積し、その後再利用する場合に、出力先の変更に適する特性である。その詳細は後述する。また、秘匿情報解読装置１７が検出した、秘匿情報であるセキュリティコードも画像データと合わせて出力する。
【００７４】
バス制御装置３は、ＭＦ１内で必要な画像データや制御コマンド等各種データのやり取りを行うデータバスの制御装置で、複数種のバス規格間のブリッジ機能ならびに画像データの圧縮／伸張機能も有している。本実施例では、第１画像データ処理装置２，第２画像データ処理装置４およびＣＰＵ６とは、PCI-Express(Peripheral Component Interconnect-Express)バスで、ＨＤＤとはＡＴＡ（AT Attachment）バスで接続するＡＳＩＣである。
【００７５】
第２画像データ処理装置４は、第１画像データ処理装置２で予め定めた特性を統一されたデジタル画像データに対し、ユーザ（使用者）から指定される画像出力先に適した画像処理を施し出力する。その詳細は後述する。秘匿情報解読装置１７で解読される秘匿情報に応じて、この第２画像データ処理装置４の画像処理の処理内容や処理パラメータが切り替わる。
【００７６】
ＨＤＤ５は、デスクトップパソコンにも使用されている、電子データを保存するための大型の記憶装置で、本デジタル画像処理装置内では主にデジタル画像データおよびデジタル画像データの付帯情報を蓄積する。また本実施例では、ハードディスク用インターフェースの規格の１つであるＩＤＥ（Integrated Device Electronics）を拡張して規格化されている、ＡＴＡバス接続用のハードディスクを使用した。
【００７７】
ＣＰＵ６は、図１に示すデジタル画像処理装置の制御全体を司るマイクロプロセッサである。また本実施例では近年普及してきたＣＰＵコア単体に付加機能を加えたIntegrated ＣＰＵを使用した。本実施例ではＰＭＣ社のＲＭ１１１００で、汎用規格Ｉ／Ｆ（インターフェース）との接続機能や、クロスバースイッチを使ったこれらバス接続機能がインテグレート（集積）されたＣＰＵを使用した。
【００７８】
メモリ７は、複数種の規格のバス間をブリッジ（通信接続）する際の速度差や、接続された部品自体の処理速度差を吸収するために、一時的にやりとりするデータを記憶したり、ＣＰＵ６が本デジタル画像処理装置の制御を行う際に、プログラムや中間処理データを一時的に記憶する揮発性メモリである。ＣＰＵには高速処理を求められるため、通常起動時にＲＯＭに記憶されたブートプログラムにてシステムを起動し、その後は高速にアクセス可能な、メモリ７に展開したプログラムによって処理を行う。本実施例では規格化されパーソナルコンピュータに使用されているＤＩＭＭ（Dual Inline Memory Module）を使用した。
【００７９】
プロッタＩ／Ｆ装置８は、ＣＰＵ６にインテグレートされた汎用規格Ｉ／Ｆ経由で送られてくるＹＭＣＫからなるデジタル画像データを受け取ると、プロッタ装置９の専用Ｉ／Ｆに出力するバスブリッジ処理を行う。本実施例で使用している汎用規格Ｉ／Ｆは、PCI-Expressバスである。
【００８０】
プロッタ装置９は、ＹＭＣＫからなるデジタル画像データを受け取ると、レーザービームを用いた電子写真プロセスを使って、受け取った画像データが表す画像を転写紙に形成する。すなわち画像を出力する作像手段である。
【００８１】
Ｓ．Ｂ．（South Bridge）１３は、パーソナルコンピュータに使用されるチップセットのひとつで、South Bridgeと呼ばれる汎用の電子デバイスである。主にPCI-ExpressとＩＳＡ（Industry Standard Architecture）ブリッジを含むＣＰＵシステムを構築する際によく使用されるバスの、ブリッジ機能を汎用回路化したもので、本実施例ではＲＯＭ１４との間をブリッジしている。ＲＯＭ１４は、ＣＰＵ６がＭＦ１の制御を行う際のプログラム（含むブート）が格納されるメモリである。
【００８２】
操作表示装置１０は、ＭＦ１とユーザのインターフェースを行う部分で、ＬＣＤ（液晶表示装置）とキースイッチから構成され、装置の各種状態や操作方法をＬＣＤに表示し、ユーザからのキースイッチ入力を検知する。本実施例ではPCI-Expressバスを介してＣＰＵ６と接続する。回線Ｉ／Ｆ装置１１は、PCI-Expressバスと電話回線を接続する装置で、この装置により本デジタル画像処理装置は電話回線を介して各種データのやり取りを行うことが可能になる。ＦＡＸ１５は、通常のファクシミリで、電話回線を介して本デジタル画像処理装置と画像データの授受を行う。
【００８３】
外部Ｉ／Ｆ装置１２は、PCI-Expressバスと外部装置を接続する装置で、この装置により本デジタル画像処理装置は外部装置と各種データのやり取りを行う。本実施例ではその接続Ｉ／Ｆにネットワーク（イーサネット（登録商標）（登録商標））を使用する。すなわち本デジタル画像処理装置は外部Ｉ／Ｆ装置１２を介してネットワークに接続している。ＰＣ１６は、いわゆるパーソナルコンピュータ（パソコン）であり、パーソナルコンピュータにインストールされたアプリケーションソフトやドライバを介して、ユーザは本デジタル画像処理装置に対して各種制御や画像データの入出力を行う。
【００８４】
秘匿情報解読装置１７は、第１画像データ処理装置２でデータ処理を途中まで行った画像データ、又はＣＰＵ６がバス制御装置３を介して第１画像データ処理装置に送り込む画像データ、を入力とし特定のドットパターンがあるかないかを検知する。もし、特定のドットパターンが存在した場合は、そのドットパターンと隣接する他のドットパターンも検出して、検出したドットパターン群を、秘匿情報であるセキュリティコードに符合化（エンコード）する。適正なセキュリティコードを認知すると秘匿情報解読装置１７は、該セキュリティコードを第１画像データ処理装置２に送出する。このセキュリティコードは、バス制御装置３を経由して、メモリ７に設定された、現在入力中の入力画像データを格納する画像データファイルに書き込まれる。
【００８５】
本実施例では、セキュリティコードを、図９の（ａ）に示す隣接８個のドットパターン（ａ）〜（ｈ）で表す。ドットパターンは、２値データの「０」を表す３個のドットでなる、（ａ）に示す第１ドットパターンと、２値データの「１」を表す４個のドットでなる、（ｂ）に示す第２ドットパターン、あわせて２種である。第２ドットパターンは、第１ドットパターンの３個のドットを結ぶ３角形内に１個のドットを加えたものである。第１および第２ドットパターンを表現する各画像データは、ＨＤＤ５に登録されている。
【００８６】
画像にセキュリティコードを埋め込むとき、ＣＰＵ６はＨＤＤ５から上記２種のドットパターンを表現する各画像データをメモリ７に読み出し、セキュリティコード（本実施例では８ビット構成：例えば図９の（ｂ））の８ビットの並び（ａ）〜（ｈ）を中央で２分割して、２行に並べて各ビット「０」の位置には第１ドットパターンを、「１」には第２ドットパターンを割り当てた、図９の（ａ）に示す１セキュリティコードを表現するドットパターン群Ａｃを表す画像データをメモリ７に展開して、埋め込み対象の画像の地肌領域（文字部＆非文字部の外の領域）に、パターン群Ａｃを、区分用の空白領域をおいて、繰り返し書き込む。これにより、埋め込み対象の画像の地肌領域が、１セキュリティコードを表現するドットパターン群Ａｃをタイル分布で埋めた地紋に変わる。このように地紋が形成された画像が、秘匿情報を組み込んだすなわち埋め込んだ画像である。
【００８７】
秘匿情報解読装置１７は、第１画像データ処理装置２に入力された画像データを参照して、第１および第２ドットパターンに共通の３ドット分布を検索し、それがあると８個のドットパターンの集合であるドットパターン群Ａｃを抽出する。この抽出に成功すると、該ドットパターン群Ａｃ内の各ドットパターンが第２ドットパターンかを検定して、第２ドットパターンと検定したドットパターンには「１」を、第２ドットパターンでないドットパターンには「０」を割り付けて、たとえば図９の（ｂ）に示すセキュリティコードに、ドットパターン群Ａｃをエンコードする。このセキュリティコードが、バス制御装置３を経由して、メモリ７に設定された、現在入力中の入力画像データを格納する画像データファイルに書き込まれる。
【００８８】
この実施例では、８ビット構成のセキュリティコードに、図９の（ｂ）に示す情報項目（対象領域，パターン，色，警告文字）が割り当てられている。各項目に２ビットが割り当てられている。「対象領域」の２ビットは、毀損処理する領域を、「地肌部」，「非文字部」，「文字部」又は「非文字部＆文字部」に指定するものである。「パターン」の２ビットは、対象領域の毀損処理を「地紋」，「ぼかし」，「モザイク」又は「ベタ」に指定するものである。「色」の２ビットは、対象領域の毀損処理に用いる色を指定するものであり、「警告文字」の２ビットは対象領域に対して特定文字を付加するか否と付加する場合の特定文字を指定するものである。各項目の情報内容は、画像に秘匿情報（セキュリティコード対応のドットパターン群Ａｃ）を加えるとき、ユーザ（該画像の管理者）が、操作表示装置１０を用いて入力する。
【００８９】
使用者認証装置１８は、ＩＣカードの情報を読み取って、その中のパスワードが、装置１８内の不揮発メモリに登録されたユーザパスワードに合致すると照合成功（使用可）を、合致しないと照合不成立（使用不可）をＣＰＵ６に報知する。また、ユーザが操作表示装置１０に入力したパスワードをＣＰＵ６が与えると、それが登録されたユーザパスワードに合致すると照合成功（使用可）を、合致しないと照合不成立（使用不可）をＣＰＵ６に報知する。なお、パスワードに限らず、指紋・虹彩・顔・音声などのバイオメトリクス情報により認証する装置を採用してもよい。パスワード(バイオメトリクス情報なども含む)は、ＭＦ１の管理者が登録する。
【００９０】
図２に、第１画像データ処理装置２の機能構成を示す。γ変換３０は読取り装置１から受け取ったＲＧＢ画像データの明るさを、予め定めた特性に統一する。本実施例では明度リニアな特性に変換する。フィルタ処理３１は、ＲＧＢ画像データの鮮鋭性を予め定めた特性に統一する。本実施例では基準チャートをスキャンしたときに、線数毎に対して予め定めたＭＴＦ特性値になるように変換する。色変換３２は、ＲＧＢ画像データの色を予め定めた特性に統一する。本実施例では色空間がAdobe社が定義したAdobe-RGBのような色空間になるように変換する。変倍処理３３は、ＲＧＢ画像データのサイズ（解像度）を予め定めた特性に統一する。本実施例ではサイズ（解像度）を６００ｄｐｉに変換する。
【００９１】
図３の（ａ）に第２画像データ処理装置４の機能構成を示す。この装置４は、機能によって処理の手法が多少異なるため、ここではコピー動作の場合の処理を記述する。また、以下の処理は特定のドットパターンを検知しない場合、すなわちセキュリティコード（秘匿情報）がない場合のコピー動作での処理である。フィルタ処理５０はＲＧＢ画像データの鮮鋭性を、プロッタ装置９に出力する場合の再現性が良くなるように補正する。具体的には、所望するモード情報および又は像域分離に従って鮮鋭化／平滑化処理を施す。例えば文字モードでは文字をハッキリ／クッキリとするために鮮鋭化処理を施し、写真モードでは滑らかに階調性を表現するため平滑化処理を施す。色変換５１は、ＲＧＢ各８ビットのデータを受け取るとプロッタ装置用の色空間であるＹＭＣＫ各８ビットに変換する。このときにユーザが所望するモード情報に従って彩度もあわせて調整する。変倍処理５２はＹＭＣＫ画像データのサイズ（解像度）を、プロッタ装置９の再現性能に従ってサイズ（解像度）変換を行う。本実施例ではプロッタ９の性能が６００ｄｐｉ出力であるため、特に変換は行わない。階調処理５３では、ＹＭＣＫ各８ビットを受け取るとプロッタ装置９の階調処理能力に従った階調数変換処理を行う。本実施例ではＹＭＣＫ各２ビットに疑似中間調処理の１つである誤差拡散法を用いて階調数変換する。第２画像データ処理装置４の処理内容や処理パラメータは、画像処理機能により切り替えられる。ＦＡＸ機能であればモノクロ二値画像データに変換され、コピー又はプリンタ機能であれば、モノクロ二値／グレースケール／ＹＭＣＫ多値などの画像データに変換されることとなる。
【００９２】
図４に、図１に示すシステムコントローラＳＣＤ（にあるＣＰＵ６）の、操作表示装置１０に対するユーザの操作またはＰＣ１６からのコマンドに応答して実行するシステム制御の概要を示す。動作電圧が加わるとＣＰＵ６は、出力ポートのクリア，内部メモリ，レジスタの初期化等を行い（ステップ１，２）、そして各部の状態読み取りを行う（ステップ３）。以下では、括弧内にはステップという語を省略して、ステップ番号のみを記す。異常個所があるとそれを操作表示装置１０のディスプレイあるいは表示灯で報知し、正常に変わるのを待つ（５）。正常であると、「入力読み取り」（６）で、操作表示装置１０に対するユーザの操作あるいはＰＣ１６又はＦＡＸ１５からのコマンド又は受信要求があるのを待つ。
【００９３】
ここで、操作表示装置１０上の「初期設定」キーが操作されると、操作表示装置１０（にあるＣＰＵ）は、「初期設定」（８）を実行する。この「初期設定」（８）において操作表示装置１０は、その液晶タッチパネルに、初期設定のメニュー画面を表示する。該メニュー画面にはユーザ登録の項目があり、該ユーザ登録をオペレータが指定すると、ＭＦ１管理者パスワードの入力画面を表示する。オペレータがＭＦ１管理者パスワードを入力すると、操作表示装置１０は、ユーザ登録入力画面を表示する。この画面上にユーザ名とパスワードを入力して、ユーザ登録することができる。ユーザ登録情報（ユーザ名＆パスワード）は、使用者認証装置１８の不揮発メモリに書き込まれる。
操作表示装置１０の液晶タッチパネルＬＣＤに表示された機能選択キー群の中の「コピー」にユーザがタッチすると、ＬＣＤの表示は、コピーモードの入力画面となり、コントローラＳＣＤのＣＰＵ６は、操作表示装置１０に対するユーザのコピー用入力操作に応答する「コピー」（１０）を実行する。
【００９４】
機能選択キー群の中の「読み取り」にユーザがタッチすると、ＬＣＤの表示は、原稿画像「読み取り」モードの入力画面となり、ＣＰＵ６は、操作表示装置１０に対するユーザの読み取り用入力操作に応答する「読み取り」（１２）を実行する。機能選択キー群の中の「印刷」にユーザがタッチすると、ＬＣＤの表示は、蓄積画像の「印刷」モードの入力画面となり、ＣＰＵ６は、操作表示装置１０に対するユーザの蓄積画像印刷のための入力操作に応答する「印刷」（１４）を実行する。機能選択キー群の中の「ファクシミリ」にユーザがタッチすると、ＬＣＤの表示は、スキャナ１０に配置した原稿の「ファクシミリ（送信）」モードの入力画面となり、ＣＰＵ６は、操作表示装置１０に対するユーザのファクシミリ送信のための入力操作に応答する「ファクシミリ」（１６）を実行する。機能選択キー群の中の「蓄積」にユーザがタッチすると、ＬＣＤの表示は、スキャナ１０に配置した原稿の画像をＨＤＤ５に蓄積（登録）する「蓄積」モードの入力画面となり、ＣＰＵ６は、操作表示装置１０に対するユーザの蓄積のための入力操作に応答する「蓄積」（１８）を実行する。機能選択キー群の中の「編集」にユーザがタッチすると、ＬＣＤの表示は、ＨＤＤ５に蓄積した画像を読み出して編集する「編集」モードの入力画面となり、ＣＰＵ６は、操作表示装置１０に対するユーザの編集のための入力操作に応答する「編集」（２０）を実行する。
【００９５】
複合機能複写機ＭＦ１に接続されたＰＣ１６には、該ＰＣ１６を操作表示装置１０と同等の操作端末とししかもＰＣ１６に接続されたディスプレイに、操作表示装置１０のディスプレイと同様に読み取り画像を表示するアプリケーションプログラムがインストールされており、ユーザはＰＣ１６を用いて、操作表示装置１０を使用するのと同等に、複写機ＭＦ１を使用することができる。ただし、操作表示装置１０のディスプレイであるＬＣＤはタッチ入力方式と２次元カーソル操作入力方式の併用であるが、これらの入力方式にかえてＰＣ１６では、キーボードのキー入力が採用されている。ＰＣ１６のアプリケーションプログラムを起動することにより、操作表示装置１０のＬＣＤに表示される操作ボード入力画面と同様な入力画面がＰＣ１６のディスプレイに表示され、該入力画面上の入力ボタンにカーソルをおいてダブルクリックするか、あるいはＥｎｔｅｒキーを押すことにより、該入力ボタンに対する入力操作をＰＣ１６が認識する。ＰＣ１６に対する入力操作に応答して、ＰＣ１６から複写機ＭＦ１のコントローラＳＣＤにコマンドが送られてくると、コントローラＳＣＤのＣＰＵ６は、操作表示装置１０に対して入力操作があった場合と同様に、コマンド対応の制御に進む（２２）。
【００９６】
図５に、「コピー」（１０）の内容を示す。「コピー」（１０）に進むと操作表示装置１０のＬＣＤ（又はＰＣ１６の使用による場合はＰＣ１６のディスプレイ）にコピー入力画面を表示し（３１）、表示上にパスワード入力画面を表示してパスワード入力を促す。これに応じてオペレータが使用者認証装置１８にＩＣカードを挿入し、あるいは操作表示装置１０にパスワードを入力し、入力したパスワードが登録されたものであると、ＣＰＵ６は、コピー入力画面に対するオペレータの入力の読み込みと入力対応の複写条件を設定する。オペレータは原稿を読取り装置１にセットし、所望するコピーモード等の設定とコピー開始の入力を操作表示装置１０（又はＰＣ）に行う（以下ではＰＣの場合の記述を省略する）。コピー開始の指示の前に、オペレータは、「秘匿情報付加」を指定することができる。
【００９７】
スタートキーの押下があると、すなわちスタート指示があると、操作表示装置１０はオペレータが入力した情報を、機器内部の制御コマンドデータに変換し発行する。発行された制御コマンドデータはPCI-Expressバスを介してＣＰＵ６に通知される。ＣＰＵ６はコピー開始の制御コマンドデータに従って、コピー動作プロセスのプログラムを実行し、コピー動作に必要な設定や動作を順に行っていく。以下に動作プロセスを順に記す。
【００９８】
１．読取り装置１で原稿をスキャンして得られたＲＧＢ各８ビットのデジタル画像データは、第１画像データ処理装置２により読み取り歪補正処理する。すなわちあらかじめ決められた特性に統一するための処理をする。
【００９９】
２．この画像読み込みにおいて、「秘匿情報付加」の指定があった場合には、読み込み画像に地紋画像を合成して（３７，３８）、コピー画像として合成画像を印刷する（３９）。
【０１００】
図６の（ａ）に、「読み込み画像に地紋画像を合成」（３８）の内容を示す。読み込み画像データをメモリ７に格納するとＣＰＵ６は、特許文献６に記載の領域分割と同様な文字領域の検出および非文字領域の検出をおこない、その結果を、図８に示すように領域区分を明確にしてＬＣＤに表示し、セキュリティコード形成のための、図９の（ｂ）に示す情報項目（対象領域，パターン，色，警告文字）および各情報項目の指定すべき内容を表す情報入力テーブルをＬＣＤに表示して、各項目の内容指定を促す（５１）。なお、内容指定のデフォルトは、どの項目も３（非文字部＆文字部，ベタ，青，複写禁止）であるが、初期設定を利用してデフォルトの内容を変更することができる。
【０１０１】
オペレータが内容指定を変更しあるいは変更しないでＯＫ又はエンターを入力すると、ＣＰＵ６は、情報入力テーブルの情報内容を表すセキュリティコードを生成し、ＨＤＤ５から２種のドットパターンを表現する各画像データをメモリ７に読み出し、セキュリティコードの並び（ａ）〜（ｈ）を中央で２分割して、２行に並べて各ビット「０」の位置には第１ドットパターンを、「１」には第２ドットパターンを割り当てた、図９の（ａ）に示すドットパターン群Ａｃを表す画像データをメモリ７に展開して（５２）、原稿画像サイズ相当の画像面にパターン群Ａｃを、区分用の空白領域をおいて、繰り返し書き込んで全面地紋を形成する（５３）。
【０１０２】
そして該全面地紋の、読み込み画像上の文字領域および非文字領域に対応する領域の地紋（Ａｃ）を消去する。すなわち読み込み画像上の地肌領域に相当する領域のみ地紋とした地肌地紋（領域外地紋画像）を形成する（５４）。ついで、この地肌地紋とメモリ７の読み込み画像を第２画像データ処理装置４に送り込み、そこの「毀損画像を合成」５４で合成（画像論理和）し（５５）、そしてＹＭＣＫに変換してプロッタ９でプリントアウトする（３９）。このプリントアウトによって得られるコピーが、秘匿情報を組み込んだすなわち埋め込んだ画像である。
【０１０３】
３．図５を再度参照する。上記画像読み込みにおいて、「秘匿情報付加」の指定がなかった場合には、画像読み込み中の画像データを秘匿情報解読装置１７にとりこみ、セキュリティコード（秘匿情報）を表すドットパターン群Ａｃがあるかどうか検索する（４０）。図６の（ｂ）に、「セキュリティ検索」（４０）の内容を示す。ここでは、特許文献６に記載の領域分割と同様な文字領域の検出および非文字領域の検出をおこない（６１）、文字領域と非文字領域のいずれでもない地肌領域に、ドットパターンがあるか検索し（６２）、ドットパターンがあると１セキュリティコード宛のドットパターン群Ａｃを検索し、それがあると、セキュリティコードにエンコードする（６４）。
【０１０４】
４．図５を再度参照する。ドットパターン群Ａｃ（セキュリティコード）がないと、従来の通常のコピー処理と同様に、読み込み画像データを第２画像データ処理装置４に送って、ＹＭＣＫデータに変換して、毀損処理をすることなく、プロッタ９でプリントアウトする（４１，４４）。
【０１０５】
５．ドットパターン群Ａｃがあった場合には、それをセキュリティコードにエンコードして第１画像データ処理装置２に送信する。第１画像データ処理装置２は、それが処理した読み込み画像データに秘匿情報解読装置１７より得たセキュリティコードを合わせて、バス制御装置３に送る。
【０１０６】
６．バス制御装置３は第１画像データ処理装置２からのＲＧＢ画像データとセキュリティコードを受け取ると、ＣＰＵ６を介してメモリ７に画像データとセキュリティコードを合わせて蓄積する。次にＣＰＵ６は、メモリ７に蓄積した画像データの毀損処理（４２）を行う。
【０１０７】
図６の（ｃ）に、「画像の毀損処理」（４２）の内容を示す。ここでは上記３．で判定した地肌領域（地紋領域），文字領域，非文字領域、又は、文字領域＆非文字領域に、セキュリティコード（例えば図９の（ｂ））が指定する毀損処理を加えた毀損画像を生成する。例えば、セキュリティコードの「対象領域」が「３：非文字部＆文字部」、「パターン」が「３：ベタ」、「色」が「３：青」、「警告文字」が「３：複写禁止」であった場合には、メモリ７に蓄積した画像の非文字部および文字部を、青色ベタとししかもその中に白抜き文字「複写禁止」が入った、領域内毀損画像を形成する（７１）。そして、メモリ７に蓄積した画像データを第２画像データ処理装置４に出力するとともに、該画像データが非文字部又は文字部の領域になるとき、該当の領域内毀損画像を第２画像データ処理装置４の合成処理５４に送ってそこでメモリ読み出し画像を毀損画像に置換してデータセレクタ５５で選択出力する（７２）。これにより、データセレクタ５５の出力は、メモリ７から読み出した画像の非文字部および文字部を毀損画像に置換した画像となる。その画像データは、第２画像データ処理装置４でＹＭＣＫデータに変換される。該ＹＭＣＫ画像データは、メモリ７に蓄積する。
【０１０８】
７．次にメモリ７に蓄積したＹＭＣＫ画像データは、ＣＰＵ６及びプロッタＩ／Ｆ装置８を介して、プロッタ装置９に送り、プロッタ装置９が、受け取ったＹＭＣＫ画像データが表す画像を転写紙に形成し、該転写紙すなわち原稿のコピー、を排出する（図５の４３）。
【０１０９】
前述したようにＭＦ１には、コピー機能，スキャナ機能，プリンタ機能，ＦＡＸ機能，ドキュメントボックス機能など様々な出力手段があるが、どれも出力手段以外は、ほとんど同じ動作なので、代表してコピー動作を説明した。スキャナ機能の場合は、図５のステップ３１をスキャナ入力画面を表示と読み替えてステップ３１〜３８，４０〜４２を実行する。プリンタ機能の場合には、ステップ３６を印刷画像読み込み（メモリ７に展開）と読み替えて、ステップ３６〜４４を実行する。ＦＡＸ機能の場合はパスワード照合（３２）〜ステップ３８および４０〜４２を実行する。ドキュメントボックス機能の場合は、画像登録に関してはステップ３６〜３８，４０〜４２を実行し、登録画像の印刷に関してはプリンタ機能の場合と同様であり、画像転送に関しては、ＦＡＸ機能の場合と同様である。
【実施例２】
【０１１０】
第２実施例のハードウエアは上述の第１実施例と同様であるが、機能の一部が異なる。すなわち、第２実施例では、セキュリティコードの「対象領域」は、図１０の（ｂ）に示すように、「機密レベルＰｓ」と変更されている。２ビットが表す「機密レベルＰｓ」の最高値３は画像を毀損する領域を非文字部＆文字部に指定し、次の値２は文字部を指定し、値１は非文字部を、そして０は地肌部を指定する。第２実施例では、セキュリティコードの内容は、ＭＦ１の管理者が、初期設定によって設定する。また管理者は、ユーザ名およびパスワードを使用者認証装置１８に登録するとき、該パスワードに宛てて判読許可レベルＵａも登録する。判読許可レベルＵａは、「４：最高」，「３：高２」，「２：高１」，「１：低」および「０：許可せず」の５種である。第２実施例では、管理者でないユーザは、「秘匿情報付加」を指定する場合でも、セキュリティコードの設定は行わない。すなちわ、図５および図６の（ａ）の「読み込み画像に地紋画像を合成」（３８）においては、セキュリティコードの設定のための入力画面は表示しない。
【０１１１】
そして第２実施例のＣＰＵ６は、第１実施例の「画像の毀損処理」（４２）に代えて、図１０の（ａ）に示す「画像の毀損処理」（４２ａ）を実行する。ここでも、上記３．で判定した地肌領域（地紋領域），文字領域，非文字領域、又は、文字領域＆非文字領域に、セキュリティコード（例えば図１０の（ｂ））の機密レベルＰｓ（３〜０のいずれか）と、図５のステップ３２で照合が成立したパスワードに宛てられたユーザの判読許可レベルＵａ（４〜０のいずれか）との差「Ｐｓ−Ｕａ」に該当する領域に、セキュリティコードが指定する毀損処理を加えた毀損画像を生成する。毀損処理する領域は、
「Ｐｓ−Ｕａ」＝３の場合は、非文字部＆文字部、
「Ｐｓ−Ｕａ」＝２の場合は、文字部、
「Ｐｓ−Ｕａ」＝１の場合は、非文字部、
「Ｐｓ−Ｕａ」＝０の場合は、地肌部（地紋領域）、および、
「Ｐｓ−Ｕａ」＝−１以下の場合は、なし（どこも毀損処理しない）
である。
【０１１２】
例えば、「Ｐｓ−Ｕａ」＝３であって、セキュリティコードの「パターン」が「３：ベタ」、「色」が「３：青」、「警告文字」が「３：複写禁止」であった場合には、メモリに蓄積した画像の非文字部および文字部を、青色ベタとししかもその中に白抜き文字「複写禁止」が入った毀損画像を形成する（７３）。そして、メモリ７に蓄積した画像データを第２画像データ処理装置４に出力するとともに、該画像データが非文字部又は文字部の領域になるとき、毀損画像を第２画像データ処理装置４の合成処理５４に送ってそこでメモリ読み出し画像を毀損画像に置換してデータセレクタ５５で選択出力する（７２）。これにより、データセレクタ５５の出力は、メモリ７から読み出した画像の非文字部および文字部を毀損画像に置換した画像となる。その画像データは第２画像データ処理装置４でＹＭＣＫデータに変換される。該ＹＭＣＫ画像データは、メモリ７に蓄積する。その他の処理は、上述の第１実施例のものと同様である。
【実施例３】
【０１１３】
第３実施例のハードウエアは上述の第１実施例と同様であるが、機能の一部が異なる。第３実施例では管理者は、ユーザ名およびパスワードを使用者認証装置１８に登録するとき、該パスワードに宛てて判読許可レベルＵａも登録する。判読許可レベルＵａは、「３：最高」，「２：高２」，「１：高１」および「０：低」の４種である。また第３実施例では、セキュリティコードは、図１２の（ｂ）に示すように、「領域Ｎｏ．」，「機密レベルＰｓ」および「パターン」の３項目と変更されている。「領域Ｎｏ．」には４ビットが割り当てられており、ここには、「文字＆非文字領域検出」（５１）で検出した領域の番号が書き込まれる。
【０１１４】
図１１の（ａ）に、第１実施例の「読み込み画像に地紋画像を合成」（３８）に置き換える、第３実施例の「読み込み画像に地紋画像を合成」（３８ａ）の内容を示す。読み込み画像データをメモリ７に格納すると第３実施例のＣＰＵ６は、特許文献６に記載の領域分割と同様な文字領域の検出および非文字領域の検出をおこない、その結果を、図８に示すように領域区分を明確にしてＬＣＤに表示する（５１）。
【０１１５】
次に、第３実施例のＣＰＵ６は、たとえば、図８に２点差線で囲んで示す領域を検出すると、画像面の左上角から右方向に主走査しこの走査位置を順次下方向に移す副走査をして、領域の左上角が最初に現れる領域から順番に、各領域に番号を振り、各番号を領域Ｎｏ．の項目に書き込み、機密レベルＰｓおよびパターンの項目にはデフォルト値を書き込んだ、各領域宛てのセキュリティコードを生成し、各セキュリティコードに、領域データを付加する。領域データは、領域の始点（第１領域では図１２の（ａ）上のａの座標と終点ｂの座標、すなわち領域の対角コーナの座標、である。
【０１１６】
そして領域Ｎｏ．１宛てのセキュリティコード形成のための、図１２の（ｂ）に示す情報項目（領域Ｎｏ．，機密レベルＰｓおよびパターン）および機密レベルＰｓおよびパターンに指定すべき内容を表す情報入力テーブルをＬＣＤに表示して、各項目の内容指定をユーザに促す。領域Ｎｏ．には、領域１を示すデータが書き込まれており、ユーザは変更できない。ＬＣＤに表示中の領域１の画像（ＸＸＸＸＸ書）はグレイ表示に変更する。なお、内容指定のデフォルトは、機密レベルＰｓおよびパターンともに３（最高，ベタ）であるが、管理者は初期設定を利用してデフォルトの内容を変更することができる。
【０１１７】
ユーザが内容指定を変更しあるいは変更しないでＯＫ又はエンターを入力すると、第３実施例のＣＰＵ６は、領域Ｎｏ．１宛てのセキュリティコードを、該情報入力テーブルの情報内容を表すセキュリティコードに更新する。そして次は領域Ｎｏ．２宛てのセキュリティコード形成を、上記領域Ｎｏ．１宛てのセキュリティコードの生成と同様に行う。更に、領域３以下最後の領域まで、各領域宛の各セキュリティコードを同様に形成する（５６，５７）。次に第３実施例のＣＰＵ６は、ＨＤＤ５から２種のドットパターンを表現する各画像データをメモリ７に読み出し、各セキュリティコードを表すドットパターン群Ａｃを順番に並べて形成して、全セキュリティコードを表すＡｃ群を１ブロックとして形成する（５２ａ）。つぎに、該ブロックを、区分用の空白領域をおいて、繰り返し書き込んで全面地紋を形成する（５３）。
【０１１８】
そして該全面地紋の、読み込み画像上の文字領域および非文字領域に対応する領域の地紋を消去する。すなわち読み込み画像上の地肌領域に相当する領域のみ地紋とした地肌地紋（領域外地紋画像）を形成する（５４）。ついで、この地肌地紋とメモリ７の読み込み画像を第２画像データ処理装置４に送り込み、そこの「毀損画像を合成」５４で合成（画像論理和）し（５５）、そしてＹＭＣＫに変換してプロッタ９でプリントアウトする（３９）。このプリントアウトによって得られるコピーが、第３実施例の、秘匿情報を組み込んだすなわち埋め込んだ画像である。
【０１１９】
図１１の（ｂ）に、第１実施例の「画像の毀損処理」（４２）に置き換える、第３実施例の「画像の毀損処理」（４２ｂ）の内容を示す。ここでも、上記３．で判定した各領域（例えば図１２の（ａ）上の領域１〜４）につき、該領域に当てられたセキュリティコードの機密レベルＰｓ（３〜０のいずれか）と、図５のステップ３２で照合が成立したパスワードに宛てられたユーザの判読許可レベルＵａ（３〜０のいずれか）との差「Ｕａ−Ｐｓ」を算出して（ＵａとＰｓとの大小を比較して）、それが負（ＵａよりもＰｓが大）であると、該領域宛に、セキュリティコードの「パターン」が指定する毀損処理を加えた毀損画像を生成する（７４）。
【０１２０】
そして、メモリ７に蓄積した画像データを第２画像データ処理装置４に出力するとともに、画像データの画像上の座標を監視して、該座標がいずれかの領域に宛てたセキュリティコードに付加した領域データが現す領域内であると、該領域の毀損画像データを第２画像データ処理装置４の合成処理５４に送ってそこでメモリ読み出し画像を毀損画像に置換してデータセレクタ５５で選択出力する（７２）。これにより、データセレクタ５５の出力は、メモリ７から読み出した画像の非文字部および文字部を、設定された機密レベルＰｓがユーザの判読許可レベルＵａより高い場合に、毀損画像に置換した画像となる。その画像データは第２画像データ処理装置４でＹＭＣＫデータに変換される。該ＹＭＣＫ画像データは、メモリ７に蓄積する。その他の処理は、上述の第１実施例のものと同様である。
【０１２１】
なお、第１〜第３実施例のいずれも、図３の（ａ）に示す第２画像データ処理装置４を用いているが、これを図３の（ｂ）に示す第２画像データ処理装置４ａに変更して上述の毀損処理を行うこともできる。第２画像データ処理装置４ａの塗りつぶし処理５６は、処理中の画像データが、毀損対象領域のものであるときに塗りつぶし、毀損対象領域外であるとそのまま何もしないで出力する。塗りつぶしには、各色による、ベタ、モザイク，ぼかしおよび地紋による画像の隠蔽がある。ＣＰＵ６は、メモリ７に蓄積した画像データを第２画像データ処理装置４に出力するとともに、画像データの画像上の座標を監視して、該座標が毀損処理対象領域内であると、塗りつぶし処理５６およびデータセレクタ５５を用いて、該領域の画像データをセキュリティコードが指定する態様で塗りつぶす。
【実施例４】
【０１２２】
第４実施例のハードウエアの大要は上述の第１実施例と同様であるが、第２画像データ処理装置には、図３の（ｃ）に示す第２画像データ処理装置４ｂが用いている。その他のハードウエアは第１実施例と同様である。第４実施例では、セキュリティコードは、第３実施例の場合と同じく、図１３の（ｂ）に示すように、「領域Ｎｏ．」，「機密レベルＰｓ」および「パターン」の３項目と変更されている。「領域Ｎｏ．」には４ビットが割り当てられており、ここには、「文字＆非文字領域検出」（５１）で検出した領域の番号が書き込まれる。
【０１２３】
また、第１実施例の「読み込み画像に地紋画像を合成」（３８）に代わる、第４実施例の「読み込み画像に地紋画像を合成」の内容も、図１１の（ａ）に示す第３実施例の「読み込み画像に地紋画像を合成」（３８ａ）の内容と同じであり、第４実施例でも、「秘匿情報付加」が指定されたコピーのときは、第３実施例で得る地紋付コピーと同じ地紋が付いたコピーが得られる。
【０１２４】
図１３の（ａ）に、第１実施例の「画像の毀損処理」（４２）に置き換える、第４実施例の「画像の毀損処理」（４２ｃ）の内容を示す。ここで第４実施例のＣＰＵ６は、上記３．で判定した各領域（例えば図１２の（ａ）上の領域１〜４）に宛てて生成したセキュリティコードの機密レベルＰｓの中の最高レベルＰｓｍを検索する（７５）。そして、バス制御装置３の圧縮／伸張機能を用いて、最高レベルＰｓｍに対応する圧縮率すなわちＰｓｍが高いと高い圧縮率で、メモリ７に蓄積した画像データ（読み込み画像データ）を非可逆圧縮してメモリ７の別領域に書き込み（７６）、そして復号して画像データ（１次毀損画像データ）に伸張して、メモリ７の別領域に書き込む（７７）。つぎに第４実施例のＣＰＵ６は、各領域につき、それに宛てられたセキュリティコードの機密レベルＰｓに対応付けられている機密処理を実行する制御データをセキュリティコード宛（領域宛）に生成する（７８）。
【０１２５】
ａ．本実施例では、機密レベルＰｓ＝０の領域には、文字領域であると文字をぼかすために平滑フィルタ処理を実行するフィルタ処理のパラメータを、非文字領域であると写真上のエッジを極端に強調し拡張する先鋭化フィルタ処理のパラメータを、図３の（ｃ）に示す第２画像データ処理装置４ｂのフィルタ処理５０に設定する制御データ（領域指定データを含む。以下同様）を生成して割り付ける。
【０１２６】
ｂ．機密レベルＰｓ＝１の領域には、上記ａ．のフィルタ処理のパラメータ設定の制御データに加えて、図３の（ｃ）の色変換５１において、カラーをモノクロに変換する制御データを生成して割り付ける。
【０１２７】
ｃ．機密レベルＰｓ＝２の領域には、上記ａ．のフィルタ処理のパラメータ設定の制御データ、および、上記ｂ．のモノクロ変換する制御データに加えて、図３の（ｃ）の変倍処理５２において、解像度を低減する制御データを生成して割り付ける。
【０１２８】
ｄ．機密レベルＰｓ＝３の領域には、上記ａ．のフィルタ処理のパラメータ設定の制御データ，上記ｂ．のモノクロ変換する制御データ、および、上記ｃ．の解像度を低減する制御データに加えて、図３の（ｃ）の諧調処理５３に、画質を劣化する諧調処理を設定する制御データを生成して割り付ける。
【０１２９】
そして、メモリ７に蓄積した読み込み画像データおよび１次毀損画像データを第２画像データ処理装置４ｂのデータセレクタ５５に出力するとともに、出力する読み込み画像データの画像上の座標を監視して、該座標がいずれかの領域内であると、データセレクタ５５から１次毀損画像データをフィルタ処理５０に出力する。全領域の外であるときには、読み込み画像データをフィルタ処理５０に出力する。
【０１３０】
「設定した画像処理」（７９）のフィルタ処理５０においては、それに宛てられた制御データにもとづいて、指定領域内の画像データに指定のパラメータによる画像毀損のためのフィルタ処理を加える。領域外では、画像を正確かつ鮮明又は滑らかに表現するフィルタ処理を加える。色変換５１は、制御データで指定される領域の画像データをモノクロデータに変換する。変倍処理５２は制御データで指定される領域の解像度（ｄｐｉ）を低減し、諧調処理５３は制御データで指定される領域の画像データに、荒い諧調処理を加えて画像を不明瞭にする。すなわち、機密レベルＰｓが高いほど階調処理の出力数（階調数）を減少させたり、階調処理の内容を変更させて階調性を悪化させたりして、機密レベルが高い領域ほど階調性や階調数を減少させて、絵柄部などを判読しにくくる。例えば、毀損処理をしない通常の状態だと階調処理５３でＹＭＣＫ各２ビットに疑似中間調処理の１つである誤差拡散法を用いて階調数変換するが、機密レベルＰｓの値が大きく、機密性を高めるときは、単純２値化処理に変更する。その他の処理は、上述の第１実施例のものと同様である。
【実施例５】
【０１３１】
第５実施例のハードウエアの大要は上述の第１実施例と同様であるが、第２画像データ処理装置には、第４実施例と同様に、図３の（ｃ）に示す第２画像データ処理装置４ｂが用いられている。その他のハードウエアは第１実施例と同様である。第５実施例では、第３実施例と同様に、管理者は、ユーザ名およびパスワードを使用者認証装置１８に登録するとき、該パスワードに宛てて判読許可レベルＵａも登録する。判読許可レベルＵａは、「３：最高」，「２：高２」，「１：高１」および「０：低」の４種である。また第５実施例では、セキュリティコードは、第３実施例の場合と同じく、図１４の（ｂ）に示すように、「領域Ｎｏ．」，「機密レベルＰｓ」および「パターン」の３項目である。「領域Ｎｏ．」には４ビットが割り当てられており、ここには、「文字＆非文字領域検出」（５１）で検出した領域の番号が書き込まれる。
【０１３２】
また、第１実施例の「読み込み画像に地紋画像を合成」（３８）に代わる、第５実施例の「読み込み画像に地紋画像を合成」の内容も、図１１の（ａ）に示す第３実施例の「読み込み画像に地紋画像を合成」（３８ａ）の内容と同じであり、第５実施例でも、「秘匿情報付加」が指定されたコピーのときは、第３実施例で得る地紋付コピーと同じ地紋が付いたコピーが得られる。
【０１３３】
図１４の（ａ）に、第１実施例の「画像の毀損処理」（４２）に置き換える、第５実施例の「画像の毀損処理」（４２ｄ）の内容を示す。ここで第５実施例のＣＰＵ６は、上記３．で判定した各領域（例えば図１２の（ａ）上の領域１〜４）に宛てて生成したセキュリティコードの機密レベルＰｓの中の最高レベルＰｓｍを検索する（７５）。そして、バス制御装置３の圧縮／伸張機能を用いて、「最高レベルＰｓｍ−判読許可レベルＵａ」に対応する圧縮率すなわちＰｓｍが高いあるいはＵａが低いと高い圧縮率で、メモリ７に蓄積した画像データ（読み込み画像データ）を非可逆圧縮してメモリ７の別領域に書き込み（７６）、そして復号して画像データ（１次毀損画像データ）に伸張して、メモリ７の別領域に書き込む（７７）。つぎに第５実施例のＣＰＵ６は、各領域につき、それに宛てられたセキュリティコードの機密レベルＰｓに対応付けられている機密処理を実行する制御データをセキュリティコード宛（領域宛）に生成する（７８）。
【０１３４】
ａａ．本実施例では、Ｐｓ−Ｕａ＝０の領域には、文字領域であると文字をぼかすために平滑フィルタ処理を実行するフィルタ処理のパラメータを、非文字領域であると写真上のエッジを極端に強調し拡張する先鋭化フィルタ処理のパラメータを、図３の（ｃ）に示す第２画像データ処理装置４ｂのフィルタ処理５０に設定する制御データ（領域指定データを含む。以下同様）を生成して割り付ける。
【０１３５】
ｂａ．Ｐｓ−Ｕａ＝１の領域には、上記ａａ．のフィルタ処理のパラメータ設定の制御データに加えて、図３の（ｃ）の色変換５１において、カラーをモノクロに変換する制御データを生成して割り付ける。
【０１３６】
ｃａ．Ｐｓ−Ｕａ＝２の領域には、上記ａａ．のフィルタ処理のパラメータ設定の制御データ、および、上記ｂａ．のモノクロ変換する制御データに加えて、図３の（ｃ）の変倍処理５２において、解像度を低減する制御データを生成して割り付ける。
【０１３７】
ｄａ．Ｐｓ−Ｕａ＝３の領域には、上記ａａ．のフィルタ処理のパラメータ設定の制御データ，上記ｂａ．のモノクロ変換する制御データ、および、上記ｃａ．の解像度を低減する制御データに加えて、図３の（ｃ）の諧調処理５３に、画質を劣化する諧調処理を設定する制御データを生成して割り付ける。
【０１３８】
そして、メモリ７に蓄積した読み込み画像データおよび１次毀損画像データを第２画像データ処理装置４ｂのデータセレクタ５５に出力するとともに、出力する読み込み画像データの画像上の座標を監視して、該座標がいずれかの領域内であると、データセレクタ５５から１次毀損画像データをフィルタ処理５０に出力する。全領域の外であるときには、読み込み画像データをフィルタ処理５０に出力する。
【０１３９】
第５実施例の「設定した画像処理」（７９）の内容は、上述の第４実施例のものと同様である。その他の処理は、上述の第１実施例のものと同様である。
【０１４０】
以上に説明した実施例では、領域ごとに毀損処理のＯＮ／ＯＦＦを切り替えている。コピーの場合には原稿を上下逆さまにスキャンしたり、縦横を変えて（９０度回転して）スキャンしたりする場合もある。その場合には、実施例どおりの手順だとうまくいかないが、あらかじめ地紋を付加するデータの相対的な領域位置や領域面積などを紀録しておき、スキャンした画像データの相対的な領域位置や面積比などと比較したり、読み取り画像データを様々な角度に回転させて登録したフォーマットデータと比較したりすることで様々な場合にもこの秘匿処理方法を利用することができるようになる。
【図面の簡単な説明】
【０１４１】
【図１】本発明の第１実施例である複合機能複写機ＭＦ１の構成の概要を示すブロック図である。
【図２】図１に示す第１画像データ処理装置２の機能の概要を示すブロック図である。
【図３】（ａ）は、図１に示す第２画像データ処理装置４の機能の概要を示すブロック図、（ｂ）はその一変形例４ａを示すブロック図、（ｃ）は本発明の第４および第５実施例が用いる第２画像データ処理装置４ｂの機能の概要を示すブロック図である。
【図４】図１に示すＣＰＵ６の、複写機制御の概要を示すフローチャートである。
【図５】図４に示す「コピー」（１０）の内容の概要を示すフローチャートである。
【図６】（ａ）は図５の「読み込み画像に地紋画像を合成」（３８）の内容を示すフローチャート、（ｂ）は図５の「セキュリティ検索」（４０）の内容を示すフローチャート、（ｃ）は図５の「画像の毀損処理」（４２）の内容を示すフローチャートである。
【図７】（ａ）は、図１に示す読み取り装置１で読み取った原稿画像を示す平面図、（ｂ）は図１に示すＣＰＵ６が領域分割処理の途中で検出した小領域を示す平面図、（ｃ）は小領域を統合した、文字領域および非文字領域の区分を示す平面図、（ｄ）は（ｂ）に示す小領域の数個を拡大して示す平面図である。
【図８】図１に示すＣＰＵ６が領域分割処理によって得た分割領域を２点鎖線を囲って示す平面図である。
【図９】（ａ）は領域分割処理で検出した領域の毀損処理を指定する１個のセキュリティコードを表すドットパターン群Ａｃを示す平面図であり、（ｂ）は該ドットパターン群Ａｃによって表現されるセキュリティコードの内容を示すブロック図である。
【図１０】（ａ）は本発明の第２実施例のＣＰＵ６が実行する「画像の毀損処理」（４２ａ）の内容を示すフローチャート、（ｂ）は第２実施例で用いるセキュリティコードの内容を示すブロック図である。
【図１１】（ａ）は本発明の第３実施例のＣＰＵ６が実行する「読み込み画像に地紋画像を合成」（３８ａ）の内容を示すフローチャート、（ｂ）は該ＣＰＵ６が実行する「画像の毀損処理」（４２ｂ）の内容を示すフローチャートである。
【図１２】（ａ）は第３実施例のＣＰＵ６が領域分割によって検出した領域を、領域番号を付して示す平面図、（ｂ）は第３実施例で用いるセキュリティコードの内容を示すブロック図である。
【図１３】（ａ）は第４実施例のＣＰＵ６が実行する「画像の毀損処理」（４２ｃ）の内容を示すフローチャート、（ｂ）は第４実施例で用いるセキュリティコードの内容を示すブロック図である。
【図１４】（ａ）は第５実施例のＣＰＵ６が実行する「画像の毀損処理」（４２ｄ）の内容を示すフローチャート、（ｂ）は第５実施例で用いるセキュリティコードの内容を示すブロック図である。
【符号の説明】
【０１４２】
１３：サウスブリッジ
【図１】
2008154106.tif 000003
【図２】
2008154106.tif 000004
【図３】
2008154106.tif 000005
【図４】
2008154106.tif 000006
【図５】
2008154106.tif 000007
【図６】
2008154106.tif 000008
【図７】
2008154106.tif 000009
【図８】
2008154106.tif 000010
【図９】
2008154106.tif 000011
【図１０】
2008154106.tif 000012
【図１１】
2008154106.tif 000013
【図１２】
2008154106.tif 000014
【図１３】
2008154106.tif 000015
【図１４】
2008154106.tif 000016